(57)【要約】【課題】  ビジネスの場面においても違和感なく装着でき、保温効果に優れるウォームタイの提供。【解決手段】  両端に留め具を有し、直接首元に取り付ける首回り部と、この首回り部に設けられ、基端部にネクタイ結びを有するとともに先端部をワイシャツの外に出して着用するネクタイ片とで構成されている。  前記ネクタイ片、覆い片、首回り部にはそれぞれ互いに対応する留め具が取り付けられて着脱可能に構成されている。【選択図】      図１
2007254911.tif 000002
【特許請求の範囲】
【請求項１】
両端に留め具を有し、直接首元に取り付ける首回り部と、この首回り部に設けられ、基端部にネクタイ結びを有するとともに先端部をワイシャツの外に出して着用するネクタイ片とで構成されている
ことを特徴とするウォームタイ。
【請求項２】
前記首回り部に、着用者の首元を十分に覆い得る覆い片を有する
ことを特徴とする請求項１に記載のウォームタイ。
【請求項３】
前記ネクタイ片は、一本が長く、もう一本がそれより短い２本の細長い布をネクタイ結びに結んで成形される
ことを特徴とする請求項１または２に記載のウォームタイ。
【請求項４】
前記覆い片は、その上端部が略Ｕ字形状に形成されている
ことを特徴とする請求項２または３に記載のウォームタイ。
【請求項５】
前記覆い片のＵ字形状部分に三角形の布を取り付ける
ことを特徴とする請求項２から４のいずれかに記載のウォームタイ。
【請求項６】
ウォームタイの首回り部の外面に留め具を取り付け、ワイシャツの襟に前記留め具に対応する留め具が取り付けられている
ことを特徴とする請求項１から５のいずれかに記載のウォームタイ。
【請求項７】
前記ネクタイ片、覆い片、首回り部にはそれぞれ互いに対応する留め具が取り付けられて着脱可能もしくは縫い付けて一体化させることにより構成されている
ことを特徴とする請求項１から請求項６に記載のウォームタイ。
【発明の詳細な説明】
【技術分野】
【０００１】
地球温暖化防止対策の一環として、役所では１８℃、公共スペース・オフィス等では２０℃という冬場の暖房設定温度が、この２００５年冬場より政府により推奨された。そういった時代の背景を受け、本発明は、ビジネスの場面においても違和感なく装着でき、暖房温度の低い場所であっても首回りがタートルネック、ハイネックセーターのように暖かいウォームタイに関する。
【背景技術】
【０００２】
冬場に暖をとるにはワイシャツやシャツの下にタートルネック、ハイネックのセーターを着ることが有効な手段である。しかしながら、温度変化に応じて脱着することが困難である。
【発明の開示】
【発明が解決しようとする課題】
【０００３】
地球温暖化防止対策の一環として、首回りの暖をとることができ、なおかつビジネスの場面においても違和感なく装着できるウォームタイの提供。
【０００４】
本発明は、このような事情に鑑みてなされたものであり、タートルネック、ハイネックセーターのような暖かさを有しつつも、暖房温度の高低に応じてワンタッチに着脱でき、かつ型崩れが生じ易いというアスコットタイの難点を克服して、ネクタイを締めることが慣習化しているビジネスの場面においても違和感なく着用できるウォームタイの提供を目的とする。
【課題を解決するための手段】
【０００５】
上記課題を解決するため、本発明に係るウォームタイは、両端に留め具を有し、直接首元に取り付ける首回り部と、この首回り部に設けられ、基端部にネクタイ結びを有するとともに先端部をワイシャツの外に出して着用するネクタイ片とで構成されていることを特徴とする。
【０００６】
さらに、上記課題を解決するため、本発明に係るウォームタイは、前記首回り部に、着用者の首元を十分に覆い得る覆い片を有することを特徴とする。
【０００７】
さらに、上記課題を解決するため、本発明に係るウォームタイは、前記ネクタイ片は、一本が長く、もう一本がそれより短い２本の細長い布をネクタイ結びに結んで成形されることを特徴とする。
【０００８】
さらに、上記課題を解決するため、本発明に係るウォームタイは、前記覆い片は、その上端部が略Ｕ字形状に形成されていることを特徴とする。
【０００９】
さらに、上記課題を解決するため、本発明に係るウォームタイは、前記覆い片のＵ字形状部分に三角形の布を取り付けることを特徴とする。
【００１０】
さらに、上記課題を解決するため、本発明に係るウォームタイは、ウォームタイの首回り部の外面に留め具を取り付け、ワイシャツの襟に前記留め具に対応する留め具が取り付けられていることを特徴とする。
【００１１】
さらに、上記課題を解決するため、本発明に係るウォームタイは、前記ネクタイ片、覆い片、首回り部にはそれぞれ互いに対応する留め具が取り付けられて着脱可能にもしくは縫い付けて一体化させることにより構成されていることを特徴とする。
【発明の効果】
【００１２】
従来のネクタイの特徴であるネクタイの結び目及び結び皺をもち、スカーフやアスコットタイのもつ首回りの暖かさとネクタイの普遍性とを一体化させた全く新しいウォームビズ用のネクタイである。
【００１３】
まず首回りの暖が得られ、また長い伝統のあるネクタイのファッション性・普遍性を確保できた。
【００１４】
そして、新しい試みとして、首後部でスナップ、面ファスナー、マグネット等の留め具で簡単に脱着できるようにした。
【００１５】
且つ胸部の一部を覆う覆い片を装着することにより、一層の保温効果と、第一ボタンと第二ボタンを外した時に下着が見えることのないファッション性をも付け加えた。この覆い片はネクタイ片と一体化させることも、留め具で脱着可能にすることもできる。
【００１６】
この覆い片は上端部にＶないしＵ状のカット面が形成されている。
【００１７】
さらに、一例として、首回り３８ｃｍの人ならばネクタイの結び目の中心から左右に約８〜９ｃｍのところに複数個の留め具をつけ、ウォームビズ専用ワイシャツとセットすれば着崩れせず形が定まると共に、ネクタイの重みが全て首にかかるのを軽減でき、楽に装着できる。
【発明を実施するための最良の形態】
【００１８】
本発明は、従来のネクタイの結び目以外の首回りの部分は概ね３ｃｍ前後であり、ワイシャツのカラーの中に入れて装着するため、スムーズに装着できる厚み、そして幅になっている。そこで本発明のウォームタイはまず襟幅に着目し、襟幅を除けば基本的に４ｃｍ前後であるところ、その中に違和感なく収まり、かつ、暖を確保できるように、首回りの幅を約４.５ｃｍに設定し，また、シルクであれば４重、ウールであれば３重に作成した、直接首回りに装着するという、全く新しいタイプのネクタイであるウォームタイを創案したものである。
以下、本発明のウォームタイについて図面を参照しながら説明するが、本発明はこれらの実施例に記載されたもののみに限定されるものではない。まず、本発明に係るウォームタイの第一実施例について説明する。図１は、本発明の第一実施例のウォームタイ１０１の構成部材を示す図面である。ウォームタイ１０１は、概ね、ネクタイ片と首回り部からなり、首回り部に覆い片を備えている。
【００１９】
図１の首回り部１０４、１０５は、ネクタイ片１０２の基端から伸び出して構成されており、装着時にワイシャツの襟から少し見えるように形成されている。そして、首回り部１０４、１０５の端部において、それぞれ留め具が設けられているが、図１に示されるように、本実施例では、留め具として一組のスナップ１０４ａが一方の首回り部１０４に、他の二組のスナップ１０５ａ、１０５ｂが他方の首回り部１０５に設けられる。留め具はマグネット、面ファスナー等を用いてもよく、形状も特に限定されるものではない。首回り部１０４，１０５は、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００２０】
このように、スナップを留め具として複数個設けていることから、着用者の首回りの長さに応じて適宜に調整することができる。すなわち、スナップ１０４ａは、スナップ１０５ａ、スナップ１０５ｂのいずれにも留めることができる。例えば、首回りの太い着用者の場合には、スナップ１０４ａは、端縁よりのスナップ１０５ａに留めればよく、首回りの細い着用者の場合には、スナップ１０４ａは、スナップ１０５ｂに留めれば、好適な着用状態が維持できる。なお、スナップの個数は、特に限定されるものではなく、スナップの形状も円形状のものに限定されず、矩形状のものでもよいことはもちろんである。
【００２１】
さらに、本実施例では、後述の覆い片前部１０３を着脱可能にする留め具１０６が首回り部１０４、１０５の内面に設けられている。また、首回り部１０４、１０５の表側に留め具１１３が１ないし複数個設けられ、ウォームビズ専用ワイシャツに留められるようになっている。本実施例では、留め具１０６、１０８はスナップとしているが、これに限定されるものではなく、マグネット、面ファスナーを用いて留め具としてもよい。さらに、留め具の形状も特に限定されるものではない。
【００２２】
図１に示す例では、覆い片は、覆い片前部１０３と覆い片後部１０７から構成されており、本実施例では、覆い片前部１０３と覆い片後部１０７とは別個の帯体から構成されている。覆い片前部１０３と覆い片後部１０７とは、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００２３】
図１に示されるように、覆い片前部１０３は、上端１０３ａがＵ字形状に形成されている。上端１０３ａをＵ字形状にすることによって首回り部にスムーズに沿って装着できる。
【００２４】
覆い片後部１０７は、覆い片前部１０３のＵ字形状から喉部分が見えるのを覆うように形成される。本実施例では、覆い片後部１０７は三角形に形成されているが、形状は特に限定されるものではない。
【００２５】
覆い片後部１０７はネクタイ結びの結び目１１４の後ろから、ネクタイ結びの結び目１１４より、例えば、１ｃｍぐらい上に出るように三角形の布を取り付ける。
【００２６】
本実施例では、覆い片前部１０３、覆い片後部１０７は共に、首回り部１０４，１０５に対して着脱可能に構成されている。すなわち、図１に示されるように、覆い片前部１０３の表側には、留め具としてのスナップ１０９が設けられ、前述の首回り部１０４、１０５に設けられたスナップ１０６に留められるようになっている。さらに、覆い片後部１０７の表側にも留め具としてスナップ１１０が設けられ、前述の首回り部１０４、１０５に設けられたスナップ１０８に留められるようになっている。覆い片前部１０３の裏側には、留め具としてスナップ１１１が設けられ、覆い片後部１０７の表側に設けられたスナップ１１２に留められるようになっている。スナップの形状、大きさは適宜選択可能であり、この留め具もマグネットや面ファスナー等でもよい。
【００２７】
図１に示されるように、ネクタイ片１０２の上部にはネクタイ結びの結び目１１４が形成されている。ネクタイ結びの結び目１１４の裏側には、留め具としてスナップ１１５が設けられ、覆い片前部１０３の表側に設けられたスナップ１１６に留められるようになっている。この留め具も面ファスナーやマグネット等でもよい。ネクタイ片１０２は、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００２８】
首回り部１０４，１０５とネクタイ片１０２とは、例えば、長さ９２ｃｍの布と長さ６５ｃｍの布をネクタイ結びし、図１のような形に成形する。大量生産を考えれば、例えば、首回り部を持ったマネキンにネクタイを結び、首の後ろ側をカットし、図１のように留め具をつける製法が望ましいと考える。
また、通常のネクタイの装着の仕方として、ネクタイ片の前側１１７と後側１１８とが、だいたい長さが前側１１７より後側１１８を短めにセットしている。ウォームビズ用のネクタイの場合には、後側１１８の長さは任意である。
【００２９】
前記では、首回り部に留め具をつけてワンタッチで脱着することをメインにしていたが、本発明のウォームビズ用ネクタイは、首回りに直接、通常のネクタイのような結び方で装着することも可能である。
そして、覆い片を留め具で脱着可能にすることができる。
【００３０】
このように形成された覆い片とネクタイ片１０２は、首回り部１０４、１０５の長手方向略中央において、首回り部を挟んで覆い片とネクタイ片１０２が首回り部に対して略直角に配置される。
すなわち、覆い片後部１０７は、図２に示されるように、スナップ１１２を覆い片前部１０３に設けられたスナップ１１１に留めることによって覆い片前部１０３に取り付けられる。そして、覆い片前部１０３は、スナップ１０９を首回り部１０４，１０５に設けられたスナップ１０６に留めることによって首回り部１０４，１０５に取り付けられる。覆い片後部１０７は、スナップ１１０を首回り部１０４，１０５に設けられたスナップ１０８に留めることによって首回り部１０４，１０５に取り付けられる。さらに、ネクタイ結びの結び目１１４の裏側に設けられたスナップ１１５を覆い片前部１０３の表側に設けられたスナップ１１６に留める。このようにしてウォームタイ１０１が構成される。
【００３１】
次に、この実施例のウォームタイ１０１の使用について説明する。本発明にかかるウォームタイ１０１は、首回りに直接着用するものである。すなわち、覆い片後部１０７の上縁がおおよそ喉元にくるように位置決めするとともに、首回り部１０４、１０５を首に回して、端部のスナップ１０４ａ、１０５ａ、１０５ｂによって適当な位置で留める。
【００３２】
スナップ１０４ａ、１０５ａ、１０５ｂを留めた後、覆い片前部１０３をワイシャツの中に入れ込み、首回り部１０４、１０５をワイシャツの襟から少し見えるように整える。これに対して、ネクタイ片１０２は、通常のワイシャツの場合、第一ボタンを外して、ワイシャツの外に出して着用する。
ウォームタイのネクタイ片１０２にはネクタイ結びの結び目１１４が形成されているので、着用する際に形を形成する手間がいらず、長時間着用していても型崩れがすることがない。
【００３３】
さらに、第一実施例では、ネクタイ片１０２にネクタイ結びの結び目１１４が形成されているので、従来のネクタイのような感覚で、ネクタイの代用として気軽に着用することが可能であり、着用において心理的抵抗感が少ない。ネクタイ片１０２及び首回り部１０４，１０５は、覆い片前部１０３と別体であるので、その日の気分に応じて、色柄の異なるものを設けることが可能である。また、覆い片前部１０３が幅広の構成となっているので、保温効果はもちろん、斜めからみた場合であっても、肌着がみえることがなく違和感のないものである。さらに、覆い片後部１０７を取り付けることによって、保温性・ファッション性が高まる。
【００３４】
ウォームタイ１０１を脱ぐ場合は、首回り部１０４、１０５の端部のスナップ１０４ａ、１０５ａ、１０５ｂを外すことにより、簡単に脱ぐことができる。さらに、折りたたむことが可能であるので嵩張らず、背広の内ポケットなどに迅速に収納することが可能であり、忙しいビジネスの場面においても使い勝手の極めて良いものである。
【００３５】
さらに、覆い片前部１０３の上端１０３ａはＵ字形状に形成されているので、覆い片前部１０３の幅が広い場合であっても、ウォームタイ着用時に覆い片前部１０３の上端が上にずり上がることがなく、胸元にしわがよらないので着用時にすっきりとするものである。
【００３６】
上記実施例においては、首回り部１０４，１０５と覆い片前部１０３あるいはこれらと覆い片後部１０７とが脱着可能な場合について説明したが、これらを縫いつけておいてもよい。
【００３７】
次に本発明に係るウォームタイの第二実施例について説明する。図３は、本発明の第二実施例のウォームタイ２０１の構成部材を示す図面である。ウォームタイ２０１は、覆い片と首回り部及びネクタイ片から構成される。
【００３８】
首回り部２０４は、装着時にワイシャツの襟から少し見えるように形成されている。そして、首回り部２０４の端部において、それぞれ留め具が設けられているが、図３に示されるように、本実施例では、留め具として一端にスナップ２０４ａが取り付けられ、他端にスナップ２０５ａ、２０５ｂが各二個ずつ設けられる。留め具はマグネット、面ファスナー等を用いてもよく、形状も特に限定されるものではない。首回り部２０４は、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００３９】
このように、スナップを留め具として複数個設けていることから、着用者の首回りの長さに応じて適宜に調整することができる。すなわち、一端のスナップ２０４ａは、他端のスナップ２０５ａ、スナップ２０５ｂのいずれにも留めることができる。例えば、首回りの太い着用者の場合には、スナップ２０４ａは、端縁よりのスナップ２０５ａに留めればよく、首回りの細い着用者の場合には、スナップ２０４ａは、スナップ２０５ｂに留めれば、好適な着用状態が維持できる。なお、スナップの個数は、特に限定されるものではなく、スナップの形状も円形状のものに限定されず、矩形状のものでもよいことはもちろんである。
【００４０】
さらに、本実施例では、覆い片２０３を着脱可能にする留め具２０６が首回り部２０４の裏側に設けられている。また、ネクタイ片２０２を着脱可能にする留め具２０８が首回り部２０４の表側に設けられている。さらに首回り部２０４の表側に留め具２１３が１ないし複数個設けられ、ウォームビズ専用ワイシャツに留められるようになっている。本実施例では、留め具２０６、２０８、２１３はスナップとしているが、これに限定されるものではなく、マグネット、面ファスナーを用いて留め具としてもよい。さらに、留め具の形状も特に限定されるものではない。
【００４１】
図３に示される例では、覆い片２０３は、上端２０３ａがＵ字形状に形成されている。上端２０３ａのＵ字形状は特に限定されない。また、素材についても、絹が用いられているが、ウール、綿、ポリエステルなどの合成繊維又は混紡繊維であってもよく、特に限定されるものではない。なお、絹などの薄手の素材を用いる場合には中に芯地を入れることによってボリュームを出して形の補強をしてもよい。
【００４２】
本実施例では、覆い片２０３は、首回り部２０４に対して着脱可能に構成されている。すなわち、図３に示されるように、覆い片２０３の表側には、留め具としてのスナップ２０９が設けられ、前述の首回り部２０４に設けられたスナップ２０６に留められるようになっている。スナップの形状、大きさは適宜選択可能であり、この留め具もマグネットや面ファスナー等でもよいことはいうまでもない。
【００４３】
図３に示されるように、ネクタイ片２０２の上部にはネクタイ結びの結び目２１４が形成されている。ネクタイ結びの結び目２１４とネクタイ片２０２の羽根部２１６の裏側にはそれぞれ、留め具としてスナップ２１５、スナップ２１７が設けられ、首回り部２０４の表側に設けられたスナップ２０８に留められるようになっている。この留め具も面ファスナーやマグネット等でもよいことはいうまでもない。ネクタイ片２０２は、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００４４】
長さの異なる二本の布をネクタイ結びし、図３のような形に成形したネクタイ片２０２を首回り部２０４に取り付ける。このとき、羽根部２１６は両端部２１６ａ、２１６ｂが短くカットされている。ネクタイ片２０２と首回り部２０４とは留め具で脱着可能にすることもできる。
【００４５】
このように形成された覆い片２０３とネクタイ片２０２は、首回り部２０４の長手方向略中央において、首回り部を挟んで覆い片２０３とネクタイ片２０２が首回り部に対して略直角に配置される。
すなわち、覆い片２０３は、図４に示されるように、スナップ２０９を首回り部２０４に設けられたスナップ２０６に留めることによって首回り部２０４に取り付けられる。さらに、ネクタイ片２０２はネクタイ結びの結び目２１４の裏側に設けられたスナップ２１５と羽根部２１６に設けられたスナップ２１７を首回り部２０４に設けられたスナップ２０８に留めることによって取り付けられる。このようにしてウォームタイ２０１が構成される。
【００４６】
次に、この実施例のウォームタイ２０１の使用について説明する。本発明にかかるウォームタイ２０１は、首回りに直接着用するものである。すなわち、覆い片２０３の上縁がおおよそ喉元にくるように位置決めするとともに、首回り部２０４を首に回して、端部のスナップ２０４ａ、２０５ａ、２０５ｂによって適当な位置で留める。
【００４７】
スナップ２０４ａ、２０５ａ、２０５ｂを留めた後、覆い片２０３をワイシャツの中に入れ込み、首回り部２０４をワイシャツの襟から少し見えるように整える。これに対して、ネクタイ片２０２は、通常のワイシャツの場合、第一ボタンを外して、ワイシャツの外に出して着用する。
ウォームタイのネクタイ片２０２にはネクタイ結びの結び目２１４が形成されているので、着用する際に形を形成する手間がいらず、長時間着用していても型崩れがすることがない。
【００４８】
さらに、第二実施例でも第一実施例と同様に、ネクタイ片２０２にネクタイ結びの結び目２１４が形成されているので、従来のネクタイのような感覚で、ネクタイの代用として気軽に着用することが可能であり、着用において心理的抵抗感が少ない。首回り部２０４及び覆い片２０３は、暖をとるための肌着として直接肌に触れるので汚れやすいが、家で洗うことも、また、クリーニングに出して洗うこともできる。これに対しネクタイ片２０２は直接肌に触れないので汚れにくく、その日の気分に応じて、色柄の異なるものを設けることが可能である。また、覆い片２０３が幅広の構成となっているので、保温効果はもちろん、斜めからみた場合であっても、肌着がみえることがなく違和感のないものである。首回り部２０４にも保温効果がある。
【００４９】
ウォームタイ２０１を脱ぐ場合も第一実施例と同様である。
【００５０】
ウォームタイ着用時に覆い片２０３が上にずり上がらないのも第一実施例と同様である。
上記実施例においては、首回り部２０４と覆い片２０３及びネクタイ片の羽根部２１６とが脱着可能な場合について説明したが、これらを縫いつけておいてもよい。
【００５１】
次に本発明に係るウォームタイの第三実施例について説明する。図５は、本発明の第三実施例のウォームタイ３０１の構成部材を示す図面である。ウォームタイ３０１は、概ね、首回り部とネクタイから構成される。
【００５２】
首回り部３０４は、スカーフのように、装着時にワイシャツの襟から少し見えるように形成されている。そして、首回り部３０４の端部において、それぞれ留め具が設けられているが、図５に示されるように、本実施例では、留め具としてスナップ３０４ａ、３０５ｂが設けられる。なお、スナップの形状は円形状のものに限定されず、矩形状のものでもよいことはもちろんである。留め具はスナップとしているが、これに限定されるものではなく、マグネット、面ファスナー等を留め具として用いてもよい。首回り部３０４は、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００５３】
首回り部３０４には、ネクタイ３０２と首回り部３０４がずれないように、ネクタイ３０２を通すリングが設けられている。実施例では、リングが用いられているが、面ファスナー等で固定するのもよい。
【００５４】
図５に示されるように、ネクタイ３０２は、ネクタイを通常使用するように結んだものである。ネクタイ３０２は、絹が用いられているが、ウール、綿、ポリエステルなどの合成繊維又は混紡繊維であってもよい。なお、絹などの薄手の素材を用いる場合には中に芯地を入れることによってボリュームを出して形の補強をしてもよい。
【００５５】
次に、この実施例のウォームタイ３０１の使用について説明する。本発明に係るウォームタイ３０１は、首回りに直接着用するものである。すなわち、首回り部３０４とネクタイ３０２は、ネクタイ３０２の首回り片３０３が首回り部３０４を囲むようにして配置される。
首回り部３０４をワイシャツに襟の内側でスカーフのように首に回し、端部にもうけたスナップ３０４ａ、３０５ｂを首元もしくは胸元で留める。首回り部３０４に設けられたリングにネクタイを通して結び、形を整える。ネクタイ３０２は、通常のワイシャツの場合、第一ボタンを外して、ワイシャツの外に出して着用する。
【００５６】
図６、７は、本発明に係るウォームタイを装着した状態を示す図である。図６、７において、１０２，２０２，３０２はネクタイ片を示す。図６は、通常のワイシャツに本発明のウォームタイを装着した場合を示している。図７の例は、ワイシャツ４はウォームビズ専用のワイシャツであって、襟の開口側の上部側に、ウォームタイのネクタイの結び目１１４，２１４，３１４を受け入れる盗み取り部５が形成されている。通常のワイシャツであれば、第一ボタンもしくは第一ボタンと第二ボタンを外して外に出す。
【００５７】
このように、本発明に係るウォームタイによれば、予め成形されているので型崩れせずビジネスの場面での使用においても、結び目がきちんと成形されているので違和感がない。
さらに、保温性・ファッション性にも優れ、着用時に首が締まる感覚を生じることもなく、着用感に優れるものである。
暖房温度の高低に応じて容易に着脱可能であって、場所による温度変化に迅速に対応することが可能であって、暖房温度が低く設定されている場合、暖房温度を上昇させなくても容易に首回りの暖をとることが可能であり、ひいては地球温暖化防止にも貢献できるものである。
【図面の簡単な説明】
【００５８】
【図１】本発明の第一実施例のウォームタイの構成部材を示す斜視図である。
【図２】本発明の第一実施例のウォームタイの背面図である。
【図３】本発明の第二実施例のウォームタイの構成部材を示す斜視図である。
【図４】本発明の第二実施例のウォームタイの正面図である。
【図５】本発明の第三実施例のウォームタイの構成部材を示す斜視図である。
【図６】本発明のウォームタイの第一実施例の使用状態を示す図である。
【図７】本発明のウォームタイの第一実施例の使用状態を示す図である。
【符号の説明】
【００５９】
１０１  ウォームタイ
１０２  ネクタイ片
１０３  覆い片前部
１０４  首回り部
１０５  首回り部
１０７  覆い片前部
１１４  結び目
【図１】
2007254911.tif 000003
【図２】
2007254911.tif 000004
【図３】
2007254911.tif 000005
【図４】
2007254911.tif 000006
【図５】
2007254911.tif 000007
【図６】
2007254911.tif 000008
【図７】
2007254911.tif 000009